(57)【要約】【課題】信頼性向上、小型化、諸特性の改善ができるＸ線検出器11を提供する。【解決手段】光検出基板21およびシンチレータ層24を有するＸ線検出器本体12を、基台31とカバー32とを有する筐体13に収容する。カバー32とシンチレータ層24のＸ線入射面29との間に空隙40を形成する。空隙40の寸法は、カバー32の外力に対する弾性変形領域内における最大撓み量以下とする。カバー32の外面に加えられた外力をカバー32で受け止める。外力が加えられたカバー32に弾性変形領域の撓みが発生し、カバー32がシンチレータ層24のＸ線入射面29と接し、外力をシンチレータ層24全体でも受け止める。これによりＸ線検出器11全体に応力を分散させ、シンチレータ層24での応力集中を軽減し、信頼性向上、小型化、諸特性を改善する。【選択図】図１
2010112743.tif 000002
【特許請求の範囲】
【請求項１】
光を電気信号に変換する光検出基板、およびこの光検出基板上に設けられこの光検出基板側に対して反対側の面を放射線が入射する放射線入射面としこの放射線入射面から入射する放射線を光に変換するシンチレータ層を有する放射線検出器本体と、
この放射線検出器本体を密閉状態に収容する筐体とを具備し、
前記筐体は、
前記放射線検出器本体の光検出基板を一面上に配置する基台と、
前記放射線検出器本体のシンチレータ層の放射線入射面に対向する表面部、およびこの表面部の周辺部に形成された側壁部を有し、前記表面部と前記シンチレータ層の放射線入射面との間に空隙を設けるとともにこの空隙の寸法を外力に対する前記表面部の弾性変形領域内での最大撓み量以下とし、前記側壁部を前記基台の一面上に固定してその基台に対して前記表面部を支え、前記基台との間に前記放射線検出器本体を密閉するカバーとを備えている
ことを特徴とする放射線検出器。
【請求項２】
光を電気信号に変換する光検出基板上にこの光検出基板に対して反対側の放射線入射面から入射する放射線を光に変換するシンチレータ層が設けられた放射線検出器本体を、基台およびカバーを有する筐体に収容する放射線検出器の製造方法であって、
前記基台の一面上に前記放射線検出器本体の光検出基板を配置する工程と、
前記カバーが有する表面部と前記シンチレータ層の放射線入射面との間に空隙を設けるとともにこの空隙の寸法を外力に対する前記表面部の弾性変形領域内での最大撓み量以下とし、前記カバーの表面部の周辺部に形成された側壁部を前記基台の一面上に固定してその基台に対して前記表面部を支え、前記基台と前記カバーとの間に前記放射線検出器本体を密閉する工程と
を具備していることを特徴とする放射線検出器の製造方法。
【発明の詳細な説明】
【技術分野】
【０００１】
本発明は、放射線を検出する放射線検出器およびその製造方法に関する。
【背景技術】
【０００２】
新世代のＸ線診断用画像検出器として、アクティブマトリクスや固体撮像素子（ＣＣＤやＣＭＯＳ等)を用いた平面形のＸ線検出器が注目を集めている。このＸ線検出器にＸ線を照射することにより、Ｘ線撮影像またはリアルタイムのＸ線画像がデジタル信号として出力される。このＸ線検出器は、固体検出器であることから、画質性能や安定性の面においても極めて期待が大きく、多くの研究開発が進められている。
【０００３】
アクティブマトリクスを用いたＸ線検出器の主な用途としては、比較的大きな線量で静止画像を収集する胸部あるいは一般撮影用に開発され、近年商品化されている。より高性能で、透視線量下において３０フレーム／ｓｅｃ以上のリアルタイム動画を実現させる必要のある循環器、消化器分野への応用に対しても近い将来に商品化が予想される。この動画用途に対しては、Ｓ／Ｎの改善や微小信号のリアルタイム処理技術等が重要な開発項目となっている。
【０００４】
また、固体撮像素子（ＣＣＤやＣＭＯＳ等）を用いたＸ線検出器の主な用途としては、大きな線量で静止画像を収集する工業用の非破壊検査や口腔内に挿入して静止画像を収集する歯科用等が近年商品化されているが、動画用途への対応も含めて、Ｓ／Ｎの改善、微小信号のリアルタイム処理、Ｘ線検出器の小型化、信頼性の改善等が重要な開発項目となっている。
【０００５】
Ｘ線検出器は、直接方式と間接方式との２方式に大別される。直接方式は、Ｘ線をａ−Ｓｅ等の光導電膜により直接電荷信号に変換し、電荷蓄積用キャパシタに導く方式であり、Ｘ線により発生した光導電電荷を高電界により直接的に電荷蓄積用キャパシタに導くため、略アクティブマトリクスの画素電極ピッチで規定される解像度特性が得られる。一方、間接方式は、シンチレータ層によりＸ線を一旦可視光に変換し、可視光をａ−Ｓｉフォトダイオード、ＣＣＤ、ＣＭＯＳ等により信号電荷に変換して電荷蓄積用キャパシタに導く方式であるため、シンチレータ層からの可視光がフォトダイオード、ＣＣＤ、ＣＭＯＳに到達する迄の光学的な拡散及び散乱により解像度特性の劣化が生じる。
【０００６】
通常、間接方式のＸ線検出器においては、構造上、シンチレータ層の特性が重要となり、入射Ｘ線に対する出力信号強度を向上させるため、例えば、シンチレータ層には、ＣｓＩ等のハロゲン化合物やＧＯＳ等の酸化物系化合物等から構成される高輝度蛍光物質が用いられることが多い。特にＣｓＩ等のハロゲン化合物をシンチレータ層に用いた場合には、短冊状の柱状結晶構造を有するシンチレータ層を真空蒸着法を用いて形成することにより、解像度特性の改善等を図ることができる。ただし、シンチレータ層に高輝度蛍光物質であるＣｓＩ等のハロゲン化合物を用いた場合、大気中の水分と反応してシンチレータ層が潮解する虞があるため、シンチレータ層上に保護層を形成したり、シンチレータ層を保護カバーで覆って密閉している（例えば、特許文献１参照。）。
【０００７】
また、一般的な間接方式のＸ線検出器においては、外力から保護するため、シンチレータ層を含むＸ線検出器本体を筐体に収納している（例えば、特許文献２および３参照。）。
【特許文献１】特表２００２−５１８６８６号公報（第７頁、図１）
【特許文献２】特開２００６−５８１２４号公報（第５−６頁、図１）
【特許文献３】特開２００８−１０７１３４号公報（第３頁、図１）
【発明の開示】
【発明が解決しようとする課題】
【０００８】
一般的にシンチレータ層は、構造的に外力に対する強度が低いため、特に外力が加えられる可能性の高い歯科用途や工業用途のＸ線検出器においては、外力により筐体が塑性変形してその外力がシンチレータ層に加わると、シンチレータ層に応力集中が生じて破損してしまうため、筐体を塑性変形が生じないような堅固な構造としている。しかしながら、筐体を堅固な構造とした場合、外力に対する信頼性は向上するが、Ｘ線検出器の大型化や、Ｘ線透過特性を含む諸特性の劣化が発生する問題がある。
【０００９】
本発明は、このような点に鑑みなされたもので、信頼性向上、小型化、諸特性の改善ができる放射線検出器およびその製造方法を提供することを目的とする。
【課題を解決するための手段】
【００１０】
本発明の放射線検出器は、光を電気信号に変換する光検出基板、およびこの光検出基板上に設けられこの光検出基板側に対して反対側の面を放射線が入射する放射線入射面としこの放射線入射面から入射する放射線を光に変換するシンチレータ層を有する放射線検出器本体と、この放射線検出器本体を密閉状態に収容する筐体とを具備し、前記筐体は、前記放射線検出器本体の光検出基板を一面上に配置する基台と、前記放射線検出器本体のシンチレータ層の放射線入射面に対向する表面部、およびこの表面部の周辺部に形成された側壁部を有し、前記表面部と前記シンチレータ層の放射線入射面との間に空隙を設けるとともにこの空隙の寸法を外力に対する前記表面部の弾性変形領域内での最大撓み量以下とし、前記側壁部を前記基台の一面上に固定してその基台に対して前記表面部を支え、前記基台との間に前記放射線検出器本体を密閉するカバーとを備えているものである。
【００１１】
また、本発明の放射線検出器の製造方法は、光を電気信号に変換する光検出基板上にこの光検出基板に対して反対側の放射線入射面から入射する放射線を光に変換するシンチレータ層が設けられた放射線検出器本体を、基台およびカバーを有する筐体に収容する放射線検出器の製造方法であって、前記基台の一面上に前記放射線検出器本体の光検出基板を配置する工程と、前記カバーが有する表面部と前記シンチレータ層の放射線入射面との間に空隙を設けるとともにこの空隙の寸法を外力に対する前記表面部の弾性変形領域内での最大撓み量以下とし、前記カバーの表面部の周辺部に形成された側壁部を前記基台の一面上に固定してその基台に対して前記表面部を支え、前記基台と前記カバーとの間に前記放射線検出器本体を密閉する工程とを具備しているものである。
【発明の効果】
【００１２】
本発明によれば、カバーの表面部とシンチレータ層の放射線入射面との間に空隙を設けるとともにこの空隙の寸法を外力に対する表面部の弾性変形領域内での最大撓み量以下とし、カバーの側壁部を基台の一面上に固定してその基台に対して表面部を支えるため、カバーの表面部に外力が加えられた場合に、その外力をカバーで受け止めるとともに、弾性変形領域内で撓んだカバーがシンチレータ層に接して外力の一部をシンチレータ層でも受け止め、これにより放射線検出器全体に応力を分散させ、シンチレータ層での応力集中を軽減でき、信頼性向上、小型化、諸特性の改善ができる。
【発明を実施するための最良の形態】
【００１３】
以下、本発明の一実施の形態を、図面を参照して説明する。
【００１４】
図１に示すように、11は放射線検出器としてのＸ線検出器であって、間接方式のＸ線平面画像検出器である。このＸ線検出器11は、放射線検出器本体としてのＸ線検出器本体12、およびこのＸ線検出器本体12を密閉状態に収容する筐体13を備えている。
【００１５】
そして、Ｘ線検出器本体12は、光を電気信号に変換する光検出基板21、およびこの光検出基板21上に設けられていて放射線としてのＸ線22を可視光である光23に変換するシンチレータ層24を備えている。
【００１６】
光検出基板21は、固体撮像素子であり、基板25上に、少なくとも複数の光電変換素子26が一次元もしくは二次元的に複数配列している受光部27、および光電変換素子26と電気的に接続されている電極パッド28が形成されている。
【００１７】
シンチレータ層24は、光検出基板21の受光部27上に形成されており、光検出基板21側に対して反対側の面をＸ線22が入射する放射線入射面としてのＸ線入射面29としている。そして、シンチレータ層24は、例えば、ＣｓＩ等のハロゲン化合物やＧＯＳ等の酸化物系化合物等から構成される高輝度蛍光物質で形成されている。特にＣｓＩ等のハロゲン化合物を用いる場合には、短冊状の柱状結晶構造を有するシンチレータ層24を真空蒸着法にて形成することにより、解像度特性の改善等を図ることができる。
【００１８】
また、筐体13は、Ｘ線検出器本体12の光検出基板21を一面上に配置して固定する基台31と、この基台31との間にＸ線検出器本体12を密閉状態に収容するカバー32とを備えている。
【００１９】
基台31の一面上には、光検出基板21が配置された側部に外部接続用電極パッド33が設けられている。光検出基板21の電極パッド28と外部接続用電極パッド33とが配線34によって電気的に接続され、これら電気接続部分が主に樹脂材料で構成される絶縁層35で覆われている。基台31の外面には、外部接続用電極パッド33と電気的に接続された電極端子36が設けられている。
【００２０】
カバー32は、シンチレータ層24のＸ線入射面29に対向する表面部38、およびこの表面部38の周辺部から基台31の方向へ向けて一体に突出形成された側壁部39を有している。
【００２１】
カバー32の表面部38は、シンチレータ層24のＸ線入射面29との間に、カバー32の外力に対する弾性変形領域内における最大撓み量以下とする空隙40をあけて配置されている。カバー32の側壁部39の先端部は、基台31の一面上に固定されてその基台31に対して表面部38を支える。
【００２２】
そして、Ｘ線検出器11を製造するには、基台31上にＸ線検出器本体12を配置して固定し、この基台31上にカバー32を配置し、このカバー32の側壁部39の先端と基台31との間を例えばエポキシ系樹脂の接合層45で密閉状態に固定する。
【００２３】
このように構成されたＸ線検出器11では、入射するＸ線22によりシンチレータ層24で変換された光23が光検出基板21の光電変換素子26に到達することにより、光電変換素子26で電荷に変換されて蓄積される。光電変換素子26に蓄積された電荷は、各光電変換素子26に対応した図示しない信号ラインから、各光電変換素子26に対応した電極パッド28、配線34、基台31の外部接続用電極パッド33および電極端子36を経由して、順次出力信号として読み出される。読み出された出力信号を所定の信号処理回路等にてデジタル画像信号に変換する。
【００２４】
そして、Ｘ線検出器11では、カバー32の表面部38とシンチレータ層24のＸ線入射面29との間に空隙40を設けるとともにこの空隙40の寸法を外力に対する表面部38の弾性変形領域内での最大撓み量以下とし、カバー32の側壁部39を基台31の一面上に固定してその基台31に対して表面部38を支えるため、カバー32の表面部38に外力が加えられた場合に、その外力をカバー32で受け止めるとともに、弾性変形領域内で撓んだカバー32がシンチレータ層24に接して外力の一部をシンチレータ層24でも受け止め、これによりＸ線検出器11の全体に応力を分散させ、シンチレータ層24での応力集中を軽減でき、信頼性向上、小型化、諸特性の改善ができる。
【００２５】
また、Ｘ線検出器11に外力が加えられた場合、材料力学的にカバー32は一様分布荷重の４辺固定モデルで近似可能であることから、カバー32の外力に対する最大撓み量をωmax、最大曲げ応力をσmaxとすると、
ωmax＝α・ｐ・ａ4／Ｅ・ｈ3  …(1)
σmax＝β・ｐ・ａ2／ｈ2      …(2)
α：構造体の最大撓み係数
β：構造体の最大応力係数
ｐ：単位面積当りの荷重
Ｅ：構造体のヤング率
ａ：構造体の短辺長
ｈ：構造体の板厚
となる。そのため、カバー32に外力に対する弾性変形領域内における最大撓みを生じさせる単位面積当りの荷重をｐe、カバー32に外力に対する弾性変形領域内における最大撓み量をωeとすると、(1)式および(2)式から、
ωe＝α・ｐe・ａ4／Ｅ・ｈ3  …(3)
ｐe＝σe・ｈ2／β・ａ2      …(4)
となり、これら(3)式および(4)式から、
ωe＝α・σe・ａ2／β・Ｅ・ｈ  …(5)
α：構造体の最大撓み係数
β：構造体の最大応力係数
σe：構造体の耐力
Ｅ：構造体のヤング率
ａ：構造体の短辺長
ｈ：構造体の板厚
で表される。
【００２６】
このため、カバー32とシンチレータ層24のＸ線入射面29との間の空隙40の寸法をωe以下とすれば、Ｘ線検出器11に加えられた外力が除去された場合、カバー32の形状は、Ｘ線検出器11に外力が加えられる前の状態に戻るため、カバー32とシンチレータ層24のＸ線検出器11との間の空隙40が維持されることから、カバー32がシンチレータ層24のＸ線入射面29に直接的に接することによる光学的な影響を受けないため、安定したＸ線検出器11の諸特性が得られることとなる。
【００２７】
また、カバー32は、シンチレータ層24のＸ線入射面29に対向する表面部38、およびこの表面部38の周辺部に一体に形成された側壁部39を有し、この側壁部39が基台31の一面上に固定されてその基台31に対して表面部38を支えるため、外力に対するカバー32の剛性を高めることができる。
【００２８】
カバー32の材質をＸ線透過率の高いＡｌ等の軽元素から成る金属とした場合、Ｘ線検出器11の外力に対する信頼性と電磁波に対する信頼性の向上が得られ、さらに、カバー32の水蒸気透過率をゼロとすることが可能となるため、特に潮解性のあるＣｓＩ等のハロゲン化合物をシンチレータ層24として用いた場合においてもＸ線検出器11の諸特性の劣化が生じるのを防止できる。
【００２９】
なお、Ｘ線検出器11のカバー32の構成および製造方法は、図１に示した第１の実施の形態に限らず、図２に示す第２の実施の形態のようにしてもよい。
【００３０】
すなわち、図２に示す第２の実施の形態では、Ｘ線検出器本体12を固定した基台31上にカバー32を配置し、接合層45の液体状の接合材料を、基台31とカバー32との間に注入し、接合材料を硬化させる。このとき、基台31とカバー32との間に注入する接合材料の注入量を調整することにより、接合材料がシンチレータ層24のＸ線入射面29に接触して含浸するのを防止できる。
【００３１】
この第２の実施の形態においても、上述した第１の実施の形態と同様の作用効果を奏する。
【００３２】
また、図３および図４にそれぞれ示す第３および第４の実施の形態のように、シンチレータ層24の全体を覆う保護層51を形成してもよい。この保護層51は、水蒸気遮断性を有する例えばポリパラキシリレン等の材質で形成されている。
【００３３】
カバー32とシンチレータ層24のＸ線入射面29を覆う保護層51との間に、カバー32の外力に対する弾性変形領域内における最大撓み量以下とする空隙40が形成されている。
【００３４】
図３および図４にそれぞれ示す第３および第４の実施の形態におけるＸ線検出器11の構成および製造方法は、上述した図１および図２にそれぞれ示す第１および第２の実施の形態と同様である。
【００３５】
したがって、これら第３および第４の実施の形態においても、上述した第１の実施の形態と同様の作用効果を奏する。
【００３６】
また、本発明の実施の形態として、例えば図４に示す第４の実施の形態のＸ線検出器11において、カバー32の材質をＡｌ（５０５２−Ｈ３２）、カバー32の板厚を０．５ｍｍ、空隙40の寸法を０．１ｍｍ、接合層45の材質をエポキシ系樹脂、シンチレータ層24の材質をＣｓＩ（Ｔｌ Ｄｏｐｅ）、保護層51の材質をポリパラキシリレン、カバー32の外形寸法を４５ｍｍ（Ｌ）×３５ｍｍ（Ｗ）、シンチレータ層24の外形寸法を４０ｍｍ（Ｌ）×３０ｍｍ（Ｗ）とした構成例について考察する。
【００３７】
本実施の形態の構成例におけるωeは、シンチレータ層24の短辺長、カバー32の最も外側のカバー32の板厚、Ａｌ（５０５２−Ｈ３２）の機械的特性から、α＝０．０３、β＝０．５、σe＝１９５Ｎ／ｍｍ2、Ｅ＝７０ｋＮ／ｍｍ2、ａ＝３０ｍｍ、ｈ＝０．５ｍｍを上記(5)式に代入して、ωe≒０．３ｍｍとなる。
【００３８】
ここで、本実施の形態の構成例におけるωeの値（０．３ｍｍ）は、カバー32とシンチレータ層24のＸ線入射面29との間の空隙40の値（０．１ｍｍ）よりも大きいことから、Ｘ線検出器11に外力が加えられた場合、カバー32に弾性変形領域内の撓みが発生し、このカバー32がシンチレータ層24のＸ線入射面29と接することとなるため、Ｘ線検出器11全体に均一に外力が加えられる形となる。
【００３９】
これにより、構造的に外力に対する強度が低いシンチレータ層24に応力集中が発生しないため、Ｘ線検出器11の外力に対する信頼性が確保され、かつ、Ｘ線検出器11に加えられた外力が除去された場合、カバー32の形状は、Ｘ線検出器11に外力が加えられる前の状態に戻るため、カバー32とシンチレータ層24のＸ線入射面29との間の空隙40が維持されることから、カバー32がシンチレータ層24のＸ線入射面29に直接的もしくは間接的に接することによる光学的な影響を受けないため、安定したＸ線検出器11の諸特性が得られることとなる。 
次に、本実施の形態の構成例に対する比較例として、図６の構成例を示す（なお、本発明の実施の形態と同様の構造については、同一符号を用いる）。図６に示す比較例のＸ線検出器11においては、カバー32の材質をＡｌ（５０５２−Ｈ３２）、カバー32の板厚を０．５ｍｍ、空隙40を０．５ｍｍ、接合層45の材質をエポキシ系樹脂、シンチレータ層24の材質をＣｓＩ（Ｔｌ Ｄｏｐｅ）、保護層51の材質をポリパラキシリレン、カバー32の外形寸法を４５ｍｍ（Ｌ）×３５ｍｍ（Ｗ）、シンチレータ層24の外形寸法を４０ｍｍ（Ｌ）×３０ｍｍ（Ｗ）とした。
【００４０】
この比較例におけるωeは、シンチレータ層24の短辺長、カバー32の板厚、Ａｌ（５０５２−Ｈ３２）の機械的特性から、α＝０．０３、β＝０．５、σe＝１９５Ｎ／ｍｍ2、Ｅ＝７０ｋＮ／ｍｍ2、ａ＝３５ｍｍ、ｈ＝０．５ｍｍを上記(5)式に代入して、ωe≒０．４ｍｍとなる。
【００４１】
ここで、比較例におけるωeの値（０．４ｍｍ）は、カバー32とシンチレータ層24のＸ線入射面29との間の空隙40の値（０．５ｍｍ）よりも小さいことから、Ｘ線検出器11に一定以上の外力が印加された場合、カバー32に塑性変形領域の撓みが発生するため、Ｘ線検出器11に加えられた外力が除去されてもカバー32には撓みが残留することから、カバー32とシンチレータ層24のＸ線入射面29との間の空隙40が維持されないため、Ｘ線検出器11の外力に対する信頼性が確保できないこととなる。
【００４２】
そして、図５には、本実施の形態のＸ線検出器11と比較例のＸ線検出器11とにおいて、カバー32の表面部38の全体に５ｋｇ／ｃｍ2、１０ｋｇ／ｃｍ2、１５ｋｇ／ｃｍ2、２０ｋｇ／ｃｍ2の各圧力を加えた場合に、それら各圧力に対するＸ線検出器11の破損の有無を検査した結果を示す。
【００４３】
比較例のＸ線検出器11では、カバー32に加えられた圧力で、カバー32が塑性変形したり、基台31が破損し、それによってシンチレータ層24に応力集中が生じて破損する影響が生じ、Ｘ線検出器11の外力に対する信頼性が確保できない結果となった。
【００４４】
それに対して、本実施の形態のＸ線検出器11では、カバー32や基台31、シンチレータ層24には変形や破損がなく、Ｘ線検出器11の外力に対する信頼性が確保できた結果となった。
【００４５】
このため、本実施の形態のＸ線検出器11であれば、Ｘ線検出器11全体に外力が印加されるホットメルトモールディング等のモールド手法でもパッケージが可能となるため、使用環境が厳しく、高い信頼性と小サイズ化が要求される歯科用途や工業用途のＸ線検出器11に用いることができる。
【図面の簡単な説明】
【００４６】
【図１】本発明の第１の実施の形態を示す放射線検出器の断面図である。
【図２】本発明の第２の実施の形態を示す放射線検出器の断面図である。
【図３】本発明の第３の実施の形態を示す放射線検出器の断面図である。
【図４】本発明の第４の実施の形態を示す放射線検出器の断面図である。
【図５】本発明の第３の実施の形態の放射線検出器と比較例の放射線検出器とにおいて、圧力に対する破損の有無を検査した結果を示す表である。
【図６】比較例の放射線検出器を示す断面図である。
【符号の説明】
【００４７】
11    放射線検出器としてのＸ線検出器
12    放射線検出器本体としてのＸ線検出器本体
13    筐体
21    光検出基板
22    放射線としてのＸ線
23    光
24    シンチレータ層
29    放射線入射面としてのＸ線入射面
31    基台
32    カバー
38    表面部
39    側壁部
40    空隙
【図１】
2010112743.tif 000003
【図２】
2010112743.tif 000004
【図３】
2010112743.tif 000005
【図４】
2010112743.tif 000006
【図５】
2010112743.tif 000007
【図６】
2010112743.tif 000008